(57)【要約】【課題】框材の内側に、網戸ネットを取り付けて網戸を構成するための網戸ネットであって、長期間にわたって劣化することなく、抗菌、防虫、防汚作用を維持でき、かつ製造が容易な網戸ネットを提供すること。【解決手段】網戸ネットの線材を、光触媒粒子物質よりなる光触媒粒子を含有した合成樹脂材料により形成し、さらに、前記光触媒粒子の表面の一部は、前記光触媒粒子の光触媒機能に対して不活性な不活性物質により被覆されているようにし、その他の部分は被覆されていないようにして、光触媒粒子の表面において光触媒機能が発現されるようにした。【選択図】  図１
2010242340.tif 000002
【特許請求の範囲】
【請求項１】
光触媒性物質を含有した合成樹脂材料からなる線材により形成された網戸ネットであり、
前記光触媒物質の表面の一部は、前記光触媒物質の光触媒機能に対して不活性な不活性物質により被覆されていることを特徴とする網戸ネット。
【請求項２】
光触媒粒子は、可視光応答型光触媒粒子であることを特徴とする請求項１記載の網戸ネット。
【発明の詳細な説明】
【技術分野】
【０００１】
本発明は、網戸ネットに関するものであり、より詳しくは、抗菌、防虫、防汚等の機能を備えた網戸ネットに関するものである。
【背景技術】
【０００２】
従来から網戸ネットは、住宅、ビル、工場等の建物に平井する蝿や蚊、その他の害虫の侵入による虫害を防止するために用いられている。この網戸ネットは、一般に、ポリプロピレン、ポリ塩化ビニル、ポリエステル、ポリエチレンなどの合成樹脂材料で形成したモノフィラメント線材を経糸及び緯糸に使用して網目が１５〜３０メッシュ程度の平織またはからみ織により織って網戸ネットを構成し、該網戸ネットを框材の内側に取り付けて網戸を構成する。
【０００３】
この網戸は、長期にわたって屋外に設置されるため、様々な汚れが付着する。この汚れには油脂成分なども含まれており、雨などによる自然洗浄や水洗程度の洗浄では、汚れを除去するのは不可能である。また、この汚れを放置しておくと、汚れが蓄積してゆくばかりでなく、特に合成樹脂材料で形成された網戸ネットには黴が生育することが多くある。そうすると、建物の美観を損ねるばかりでなく、衛生上も非常に問題である。
【０００４】
また、上記のような汚れを洗剤等により洗浄すればよいのであるが、非常に面倒な作業であるばかりでなく、汚れを十分に落とすことは非常に困難なことが多い。
【０００５】
そこで、このような問題点を解決するために、網戸ネットの線材の表面に、光触媒機能を有する物質を含む薄膜をコーティングして網戸ネットを構成するようにしたものがある（特許文献１）。
【０００６】
この網戸ネットによれば、ＴｉＯ2等の光触媒物質が有する光触媒機能により、確かに汚れや黴などが付着しにくい。すなわち、光触媒物質に太陽光や蛍光灯などの光が照射されると、この光触媒物質の表面に正孔や電子が生じて光触媒機能を発現し、水や様々な有機物が分解される。また、前記正孔の作用により水が酸化されてＯＨラジカルを生じ、電子の作用により空気中の酸素が還元されてＯ2−ラジカルを生ずる。これら活性酸素は優れた殺菌作用を有しており、その結果、黴などが生じ難くなる。
【先行技術文献】
【特許文献】
【０００７】
【特許文献１】特開平０９−１９５６４７号公報
【発明の概要】
【発明が解決しようとする課題】
【０００８】
しかしながら、上記のとおりポリプロピレン、ポリ塩化ビニルなどの合成樹脂材料で構成された網戸ネットの線材の表面に光触媒物質を含む薄膜をコーティングすると、その光触媒作用により、線材を構成する合成樹脂材料自体をも少なからず分解してしまう。
【０００９】
したがって、それゆえ上記のような網戸ネットを作製するには、網戸ネットの線材の表面に、先ず光触媒作用を遮断するバリヤー層を形成し、その上に光触媒物質を含む薄膜をコーティングする必要があった。それゆえ、網戸ネットが非常に高価なものとなり、また製造工程も複雑なものとなっていた。
【００１０】
本発明は、上記の問題点を克服するためになされたものであり、長期間にわたって劣化することなく、抗菌、防虫、防汚作用を維持でき、かつ製造が容易な網戸ネットを提供することを目的とする。
【課題を解決するための手段】
【００１１】
上記の課題を解決するため、本発明に係る網戸ネットは、光触媒粒子物質よりなる光触媒粒子を含有した合成樹脂材料からなる線材により形成された網戸ネットであり、前記光触媒粒子の表面の一部は、前記光触媒粒子の光触媒機能に対して不活性な不活性物質により被覆されていることを特徴とする。
【００１２】
上記光触媒粒子としては、光触媒機能を発揮するものであればよく、例えば、ＴｉＯ2、Ｆｅ2Ｏ3、Ｃｕ2Ｏ、Ｉｎ2Ｏ3、ＷＯ3、Ｆｅ2ＴｉＯ3、ＰｂＯ、Ｖ2Ｏ5、ＦｅＴｉＯ3、Ｂｉ2Ｏ3、Ｎｂ2Ｏ3、ＳｒＴｉＯ3、ＺｎＯ、ＢａＴｉＯ3、ＣａＴｉＯ3、ＫＴａＯ3、ＳｎＯ2、ＺｒＯ2等などが適宜使用できる。本発明に係る網戸ネットにおいては、高い光触媒機能を発揮でき、経済性に優れ、しかも取り扱いが容易であることから、ＴｉＯ2（二酸化チタン）を用いるのが好ましい。また、酸化チタンの中でも活性の高いアナターゼ型の二酸化チタンがより好適である。
【００１３】
さらに、上記不活性物質としては、例えば、シリカやアパタイトなど、上記光触媒粒子の表面に付着可能であり、該光触媒粒子の光触媒機能に対して不活性なものであれば好適に使用できる。
【００１４】
本発明に係る網戸ネットによれば、光触媒粒子を網戸ネットの線材の素材である合成樹脂に含有させて構成するので、従来の網戸ネットのように、網戸ネットの線材の表面に、先ず光触媒作用を遮断するバリヤー層を形成し、その上に光触媒物質を含む薄膜をコーティングするという２層構造をとる必要がない。それゆえ、網戸ネットの製造工程が簡易なものとなる。また、網戸ネットを安価に提供できるようになる。また、当該光触媒粒子は、その表面の一部が上記不活性物質で被覆されているので、網戸ネットの線材を構成する合成樹脂を分解しにくく、したがって網戸ネットの線材が劣化しにくい。それゆえ、長期間にわたって抗菌、防虫、防汚作用を維持できる。
【００１５】
尚、光触媒粒子の一部が光触媒機能に対して不活性な不活性物質により被覆されているが、その他の部分は被覆されていないことで、光触媒粒子の表面において光触媒機能が発現され、その機能を十分に発揮させることができる。
【００１６】
また、本発明に係る網戸ネットにおいては、光触媒粒子は、可視光応答型光触媒粒子であるのが好ましい。このようにすれば、紫外光のみならず、可視光をも活用して高い光触媒機能を発現させることができる。
ここで可視光とは、３８０ｎｍ以上の波長、より具体的には３８０ｎｍ〜８００ｎｍの波長の光を指す。
【００１７】
また可視光応答型光触媒とは、前記可視光により励起される性質を有する光触媒をいう。このような可視光応答型光触媒としては、例えば、既に例示した光触媒物質の結晶に窒素原子及び／又は硫黄原子を含有したものが挙げられる。
【００１８】
この「窒素原子及び／又は硫黄原子を含有した」とは、光触媒の粒子における光触媒結晶中の本来金属原子又は酸素原子が存在する位置の少なくとも一つに窒素原子又は硫黄原子が存在する状態、すなわち光触媒結晶中に含まれる金属原子又は酸素原子のうち少なくとも一つが窒素原子又は硫黄原子で置換された状態の化合物と、光触媒結晶中の結晶格子間に窒素原子又は硫黄原子がドープされた状態の化合物とのいずれの概念をも包含することを意図する。
【発明の効果】
【００１９】
以上のとおり、本発明に係る網戸ネットによれば、網戸ネットの線材が光触媒粒子を含有した合成樹脂材料により形成され、前記光触媒粒子の表面の一部が、前記光触媒粒子の光触媒機能に対して不活性な不活性物質により被覆されているので、長期間にわたって劣化することなく、抗菌、防虫、防汚作用を維持でき、かつ、製造が容易となる。また、安価な網戸ネットを提供できる。
【図面の簡単な説明】
【００２０】
【図１】本発明に係る網戸ネットを利用した網戸の一実施形態を示す図である。
【図２】本発明に係る網戸ネットの線材の概略断面を示す図である。
【発明を実施するための形態】
【００２１】
以下、本発明を実施するための形態を、図面に基づいて詳細に説明する。
【００２２】
図１は、本発明に係る網戸ネットを利用した網戸の一実施形態を示すものであり、アルミ等で作製された左右および上下の枠材３１を略矩形状に形成してなる框材３の内側に、網戸ネット２を取り付けて網戸を構成している。
【００２３】
この網戸ネット２の線材２１の材料としては、ポリプロピレン樹脂、ポリ塩化ビニル樹脂、ポリエステル樹脂、ポリエチレン樹脂などの合成樹脂材料を適宜選択して使用できる。
【００２４】
この線材の合成樹脂材料は、不活性物質層５で表面の一部を被覆された光触媒粒子４を含有している。この実施形態における光触媒粒子４は、酸化チタンを利用している。この酸化チタンは、チタン原子及び／又は酸素原子の一部を窒素原子及び／又は硫黄原子に置換した所謂窒素ドープ型及び／又は硫黄ドープ型の酸化チタンを利用することにより、波長３８０ｎｍ以上の可視光によっても高い光触媒機能を発現できる。さらに、この窒素ドープ型及び／又は硫黄ドープ型の酸化チタンに対して、鉄、銅などの金属イオンを導入して更に光触媒機能を高めたものも好適に使用できる。
【００２５】
不活性物質層５を構成する不活性物質は、上述のとおり光触媒粒子４の表面に付着可能であり、該光触媒粒子４の光触媒機能に対して不活性なものであればよく、例えば、モンモリロナイト、タルク、シリカゲル、シリカゾル、ケイ酸塩、炭化ケイ素、酸化アルミニウム（アルミナ）、ゼオライト、ジルコニア、セラミックス、アパタイト、チタンアパタイト、酸化マグネシウム（マグネシア）、コーディライト、セピオライト、水酸化カルシウム、或いはこれらの混合物若しくは複合体等が好適に使用できる。
【００２６】
不活性物質層５を光触媒粒子の表面に形成するには、上記のような不活性物質を水などの溶媒に分散させてその溶液中に光触媒粒子４を所定の時間浸漬して光触媒粒子４の表面に不活性物質が点在する結晶状に析出させたり、マスクメロン状のネット構造として析出させたりする方法がある。あるいは、シランカップリング剤により光触媒粒子３を被覆した後、高温で焼成することでシランカップリング剤に含まれる有機成分を気化させ、細孔を形成する等の方法によることもできる。
【００２７】
以上のようにして形成した不活性物質層５を有する光触媒粒子４を、網戸ネット２の線材２の材料である合成樹脂と混合し、線材２１を成形する。そして、形成した線材２１を経糸及び緯糸に使用して平織またはからみ織により網目に織って網戸ネット２を構成し、該網戸ネット２を框材３の内側に取り付けて網戸１を構成する。
【符号の説明】
【００２８】
１  網戸
２  網戸ネット
３  框材
４  光触媒粒子
５  不活性物質層
【図１】
2010242340.tif 000003
【図２】
2010242340.tif 000004